(57)【要約】【課題】指静脈および掌静脈のデータを取引カードに登録する場合に、２種類の生体情報を効率よく登録する共に、登録する指静脈および掌静脈のデータを正確に検出する手段を提供する。【解決手段】生体情報登録装置１が、手の指の静脈模様を検出する指静脈検出センサ１３と、掌の静脈模様を検出する掌静脈検出センサ１６とを備え、指静脈検出センサ１３と、掌静脈検出センサ１６との間の距離を可変にするスライドレール１７およびバネ部材１８等からなる指静脈検出センサ移動機構を設ける。【選択図】        図１
2008054747.tif 000002
【特許請求の範囲】
【請求項１】
手の指の静脈模様を検出する指静脈検出センサと、掌の静脈模様を検出する掌静脈検出センサとを備え、
前記指静脈検出センサと、前記掌静脈検出センサとの間の距離を可変にしたことを特徴とする生体情報登録装置。
【請求項２】
請求項１において、
手首を位置決めする固定された手首ガイドと、前記指静脈検出センサを移動させる指静脈検出センサ移動機構を設け、
前記手首ガイドを基準に、前記掌静脈検出センサを設置し、
前記指静脈検出センサ移動機構により前記指静脈検出センサを、検出する手の指の長さに応じて移動させることを特徴とする生体情報登録装置。
【請求項３】
請求項２において、
前記指静脈検出センサ移動機構に、前記検出する手の指の指先を位置決めする指先ガイドを設け、
該指先ガイドを、当該指の先端で押して前記指静脈検出センサを移動させることを特徴とする生体情報登録装置。
【請求項４】
請求項２において、
前記指静脈検出センサ移動機構に、前記検出する手の指の指先を位置決めする指先ガイドと、移動把手とを設け、
該移動把手により、前記指先ガイドを移動させて、当該指の指先を位置決めすることを特徴とする生体情報登録装置。
【請求項５】
請求項１において、
固定された前記指静脈検出センサに、前記検出する手の指の指先を位置決めする指先ガイドを設けると共に、前記掌静脈検出センサを移動させる掌静脈検出センサ移動機構を設け、
前記指先ガイドにより指を位置決めし、前記掌静脈検出センサ移動機構により前記掌静脈検出センサを検出する掌の位置に移動させることを特徴とする生体情報登録装置。
【請求項６】
請求項５において、
前記掌静脈検出センサ移動機構に、移動レバーを設けたことを特徴とする生体情報登録装置。
【請求項７】
請求項１において、
指の叉を押し当てる固定された叉ガイドを設けると共に、前記指静脈検出センサを移動させる指静脈検出センサ移動機構と、前記掌静脈検出センサを移動させる掌静脈検出センサ移動機構を設け、
前記叉ガイドに指の叉を押し当て、前記指静脈検出センサ移動機構により前記指静脈検出センサを検出する指の位置に移動させると共に、前記掌静脈検出センサ移動機構により前記掌静脈検出センサを検出する掌の位置に移動させることを特徴とする生体情報登録装置。
【請求項８】
請求項１において、
指の叉を押し当てる固定された叉ガイドを設けると共に、前記指静脈検出センサを移動させる指静脈検出センサ移動機構と、前記指静脈検出センサの移動量を計測する移動量計測センサとを設け、
前記叉ガイドに指の叉を押し当て、前記指静脈検出センサ移動機構により前記指静脈検出センサを検出する指の位置に移動させたときに、前記指静脈検出センサの移動量を前記移動量計測センサにより計測し、該移動量を基に前記掌静脈検出センサの検出範囲を変更することを特徴とする生体情報登録装置。
【請求項９】
請求項１において、
指の叉を押し当てる固定された叉ガイドを設けると共に、前記掌静脈検出センサを移動させる掌静脈検出センサ移動機構と、前記掌静脈検出センサの移動量を計測する移動量計測センサを設け、
前記叉ガイドに指の叉を押し当て、前記掌静脈検出センサ移動機構により前記掌静脈検出センサを検出する掌の位置に移動させたときに、前記掌静脈検出センサの移動量を前記移動量計測センサにより計測し、該移動量を基に前記掌静脈検出センサの検出範囲を変更することを特徴とする生体情報登録装置。
【請求項１０】
請求項１において、
前記指静脈検出センサの位置を複数段階に変更する指静脈検出センサ位置変更機構と、前記掌静脈検出センサの位置を複数段階に変更する掌静脈検出センサ位置変更機構とを設け、
前記検出する指、および検出する掌の長さを計測し、該計測した長さに応じて前記指静脈検出センサの位置、および前記掌静脈検出センサの位置を段階的に変更することを特徴とする生体情報登録装置。
【請求項１１】
請求項１ないし請求項１０のいずれか一項において、
前記検出する指の位置および検出する掌の位置の少なくとも一方が不正の場合に、警報を発することを特徴とする生体情報登録装置。
【発明の詳細な説明】
【技術分野】
【０００１】
本発明は、金融機関等で用いられる取引カードに、生体情報を登録する生体情報登録装置に関する。
【背景技術】
【０００２】
金融機関等においては、キャッシュカードやクレジットカード等の取引カードの偽造対策を行う場合に、取引カードをＩＣカードとし、これに生体情報を登録して顧客の認証を行うようになってきている。
この場合に用いる従来の生体情報登録装置は、光源から発した光を手の指の腹側から照射し、反射した赤外光を撮影する受像手段を設け、この受像手段により撮影された指静脈画像の複数の特徴点を指静脈データとして登録している。
【０００３】
また、同様の構成を有する受像手段で掌の掌静脈画像を撮影し、その掌静脈画像の複数の特徴点を掌静脈データとして登録している（例えば、特許文献１参照。）。
【特許文献１】特開平７−２１３７３号公報（第３頁段落００１５−００２３、第１図、第４図）
【発明の開示】
【発明が解決しようとする課題】
【０００４】
しかしながら、上述した従来の技術においては、指静脈や掌静脈を登録する場合に、それぞれを撮影する個別に設けられた受像手段を必要とするため、指静脈データおよび掌静脈データを両方とも取引カードに登録する場合には、２種類の登録装置を用意する必要があり、金融機関等の負担が増大するという問題がある。
また、顧客は２種類の登録装置により２回に分けて登録を行う必要があり、生体情報の登録に時間を要し、生体情報の登録における効率が低下するという問題がある。
【０００５】
更に、顧客の手の大きさには、個体差が存在するため、手に関する２種類の生体情報である指静脈および掌静脈を同時に検出しようとしても、それぞれを正確に検出することが困難であるという問題がある。
本発明は、上記の問題点を解決するためになされたもので、２種類の生体情報を効率よく登録する共に、登録する指静脈および掌静脈のデータを正確に検出する手段を提供することを目的とする。
【課題を解決するための手段】
【０００６】
本発明は、上記課題を解決するために、生体情報登録装置が、手の指の静脈模様を検出する指静脈検出センサと、掌の静脈模様を検出する掌静脈検出センサとを備え、前記指静脈検出センサと、前記掌静脈検出センサとの間の距離を可変にしたことを特徴とする。
【発明の効果】
【０００７】
これにより、本発明は、顧客は登録する手を１回セットすれば、指静脈と掌静脈とを取引カードに同時に登録することができ、２種類の生体情報を効率よく登録することができると共に、指静脈検出センサまたは掌静脈検出センサを移動させて、登録する指を伸ばした状態で指および掌を指静脈検出センサおよび掌静脈検出センサの適正な位置に位置決めすることができ、顧客の手の大きさの個体差を吸収して指静脈および掌静脈のデータを正確に検出することができるという効果が得られる。
【発明を実施するための最良の形態】
【０００８】
以下に、図面を参照して本発明による生体情報登録装置の実施例について説明する。
【実施例１】
【０００９】
図１は実施例１の生体情報登録装置を示す斜視図、図２は実施例１の生体情報登録装置を示すブロック図である。
図１において、１は生体情報登録装置であり、銀行等の金融機関や郵政公社等（金融機関等という。）の本店や支店、郵便局等の店舗に設置され、パーソナルコンピュータ等の上位装置としての制御装置２とリード線３を介して接続し、顧客の生体情報としての手の指の静脈模様（指静脈紋という。）と掌の静脈模様（掌静脈紋という）とを検出して取引カード４に登録する機能を有している。
【００１０】
本実施例の取引カード４は、非接触型のＩＣカードである。
５は制御装置２の制御部であり、リード線３を介して生体情報登録装置１と接続しており、制御装置２内の各部、および生体情報登録装置１内の各部を制御して登録処理等を実行する。
６は記憶部であり、制御部５が実行するプログラムやそれに用いる各種のデータおよび制御部５による処理結果等が格納される。
【００１１】
７は表示部であり、ＣＲＴやＬＣＤ等の表示画面を有しており、表示画面に取引カード４に登録する指静脈紋や掌静脈紋の画像や、登録の手順等を表示する。
８は入力部であり、キーボード等を有しており、係員等からの生態情報の登録処理の登録開始操作等の各種の入力を受付ける。
９はカード読取書込部であり、図１に示すように、生体情報登録装置１の側面に設けられた取引カード４のおもて面または裏面を当接させる当接面９ａを有する凹部であって、載置面９ｂに取引カード４の１辺を載置し、おもて面または裏面を当接面９ａに当接させた顧客の取引カード４のＩＣチップに対して、生体情報としての掌静脈データや掌静脈データ等を通信により読み書きする機能を有している。
【００１２】
１１は指静脈検出ブロックであり、生体情報登録装置１の上部の指先方向（図１に矢印で示す指先ガイド１２により位置決めされた指の先端が向く方向をいう。）の前方側に設けられたブロック状部材である。
指先ガイド１２は、指静脈検出ブロック１１の上面に設けられた矩形の枠状部材であって、指静脈データを登録する顧客の手の指の指先を位置決めすると共に、その指先方向に設けられた先端係止部１２ａにより当該指の先端（爪を除く。）を係止する機能を有している。
【００１３】
１３は指静脈検出センサであり、指先ガイド１２の無底の底部にその検出面を露出させて指静脈検出ブロック１１に取付けられ、指先ガイド１２により位置決めされた指の腹側を赤外線で撮影して指静脈紋を検出し、その指静脈画像を制御部５へ送出する機能を有している。
１５は手首ガイドであり、指先ガイド１２の指先方向の後方に設けられ、掌静脈データを登録する顧客の手の手首を位置決めする機能を有している。
【００１４】
なお、本実施例の手首ガイド１５は、生体情報登録装置１に固定されている。
１６は掌静脈検出センサであり、手首ガイド１５を基準にして、手首ガイド１５により手首を位置決めされた手の掌の下方に設置され、その掌を赤外線で撮影して掌静脈紋を検出し、その掌静脈画像を制御部５へ送出する機能を有している。
１７はスライドレールであり、指静脈検出ブロック１１の指先方向に沿った両側に設けられ、指静脈検出ブロック１１に設けられた指静脈検出センサ１３および指先ガイド１２を往復移動可能に支持する機能を有している。
【００１５】
１８はバネ部材であり、スライドレール１７に支持された指静脈検出センサ１３を手首ガイド１５側に押圧する圧縮コイルスプリング等である。
上記の指静脈検出ブロック１１とその両側に設けられたスライドレール１７およびバネ部材１８により、本実施例の指静脈検出センサ移動機構が構成され、指静脈検出センサ１３と掌静脈検出センサ１６との間の距離を可変にすることが可能になる。
【００１６】
本実施例の移動可能とされた指静脈検出ブロック１１は、常時は、バネ部材１８により生体情報登録装置１の手首ガイド１５側に設けられた図示しないストッパに押圧されており、指静脈検出ブロック１１に設けられた指先ガイド１２の初期位置は、手の指の最も短い顧客が手首ガイド１５により位置決めされた手の指を伸ばしたときに、その先端が先端係止部１２ａに当接する位置より指先方向の後方側に設定されている。
【００１７】
これにより、手首ガイド１５を基準に、登録する掌が掌静脈検出センサ１６の適正な位置に位置決めされると共に、登録する指の先端で指先ガイド１２を押せば、検出する手の指の長さに応じて指静脈検出センサ１３が移動し、伸ばした状態の指を適正な位置に位置決めすることができる他、指を離せば指先ガイド１２を自動的に初期位置に戻すことができる。
【００１８】
上記の制御装置２の記憶部６には、指静脈検出センサ１３および掌静脈検出センサ１６により撮影された顧客の指静脈画像および掌静脈画像から所定の特徴点を切り出し、これらを基に指静脈データおよび掌静脈データを生成し、これらを取引カード４のＩＣチップの記録部に書込んで登録する機能等を有する登録処理プログラムが予め格納されており、制御部５が実行する登録処理プログラムのステップにより本実施例の生体情報登録装置１のハードウェアとしての各機能手段が形成される。
【００１９】
上記の構成の生体情報登録装置１を用いて、顧客の指静脈データおよび掌静脈データを取引カード４に登録する場合の作動について説明する。
指静脈および掌静脈を登録する顧客は、非接触型のＩＣカードで形成された取引カード４を生体情報登録装置１のカード読取書込部９の載置面９ｂに載置し、そのおもて面または裏面を当接面９ａに当接させて、取引カード４をカード読取書込部９にセットする。
【００２０】
これを検知した制御装置２の制御部５は、登録処理プログラムを起動させる。
一方、顧客は、生体情報登録装置１の操作を行う係員の指示により、登録する手の掌を下方に向けてその手首を手首ガイド１５に載せて位置決めし、登録する指の指先を指先ガイド１２に載せ、指を伸ばしてその先端で先端係止部１２ａを押し、スライドレール１７に移動可能に支持された指静脈検出ブロック１１をバネ部材１８に抗して指先方向に移動させる。
【００２１】
これにより、手首ガイド１５を基準として、顧客の掌および指が指静脈検出センサ１３および掌静脈検出センサ１６の上方の適正な検出位置にセットされる。
係員は、セットされた顧客の手の状態を確認して入力部８により、生体情報の登録開始操作を行う。
この登録開始操作を検知した制御部５は、指静脈検出センサ１３および掌静脈検出センサ１６により赤外線で検出した指静脈紋および掌静脈紋のそれぞれの画像を取得し、その指静脈画像および掌静脈画像を表示部７に表示すると共に、それぞれの画像から所定の特徴点を複数切り出し、これらを基に生成した指静脈データおよび掌静脈データを取引カード４のＩＣチップの記録部に書込んで登録する。
【００２２】
この場合に、生成した指静脈データおよび掌静脈データを記憶部６に一時保存し、再度指静脈検出センサ１３および掌静脈検出センサ１６により新たな指静脈画像および掌静脈画像を取得し、その特徴点と一時保存した指静脈データおよび掌静脈データとを照合し、その一致により一時保存した指静脈データおよび掌静脈データを認証し、その後に、認証した指静脈データおよび掌静脈データを取引カード４に書込んで登録するようにしてもよい。このようにすれば登録する指静脈データおよび掌静脈データをより正確なものとすることができる。
【００２３】
また、必要に応じて、他方の手の指静脈データおよび掌静脈データを上記と同様にして生成し、取引カード４に登録するようにしてもよい。
このように、本実施例では、生体情報登録装置１に、指静脈検出センサ１３および掌静脈検出センサ１６を設けたので、顧客は登録する手を１回セットすれば、指静脈検出センサ１３および掌静脈検出センサ１６により検出した指静脈と掌静脈とを、取引カード４に同時に登録することができ、２種類の生体情報を効率よく登録することができると共に、金融機関等は１台の生体情報登録装置１を設置すれば足り、金融機関等の負担を低減させることができる。
【００２４】
また、指静脈検出センサ１３をスライドレール１７およびバネ部材１８により移動可能に構成し、固定された掌静脈検出センサ１６との間の距離を可変にしたので、手首ガイド１５を基準にして、登録する掌が掌静脈検出センサ１６の適正な位置に位置決めされると共に、登録する指の先端で指先ガイド１２を移動させて、指を伸ばした状態で指静脈検出センサ１３の適正な位置に位置決めすることができ、顧客の手の大きさに個体差があったとしても、その個体差を吸収して正確に検出された指静脈画像および掌静脈画像により、指静脈データおよび掌静脈データを生成することができ、生体情報の登録における信頼性を向上させることができる。
【００２５】
更に、取引カード４を非接触型のＩＣカードとし、カード読取書込部９を生体情報登録装置１の側面に設けたので、取引カード４のセットを顧客の側および係員の側の双方から行うことができ、係員が顧客から預かった取引カード４を生体情報登録装置１にセットすることが可能になり、顧客の利便性を向上させることができる。
以上説明したように、本実施例では、生体情報登録装置に指静脈検出センサと掌静脈検出センサとを設け、手首を位置決めする固定された手首ガイドを基準に掌静脈検出センサを設置し、指静脈検出センサ移動機構により掌静脈検出センサとの間の距離を可変に構成した指静脈検出センサを、指静脈検出センサ移動機構の指静脈検出ブロックに設けた指先ガイドを当該指の先端で押して移動させるようにしたことによって、顧客は登録する手を１回セットすれば、指静脈と掌静脈とを取引カードに同時に登録することができ、２種類の生体情報を効率よく登録することができると共に、指先ガイドを移動させて手首ガイドを基準にして、登録する指を伸ばした状態で指および掌を指静脈検出センサおよび掌静脈検出センサの適正な位置に指を位置決めすることができ、顧客の手の大きさの個体差を吸収して指静脈画像および掌静脈画像を正確に検出することができ、２種類の生体情報の登録における信頼性を向上させることができる。
【００２６】
なお、本実施例においては、バネ部材により指静脈検出ブロックを手首ガイド側に押圧するとして説明したが、指静脈検出ブロックはスライドレールにより移動可能に構成されているので、バネ部材を設けなくても、指の先端で指先ガイドを押せば登録する指を伸ばした状態で指静脈検出センサの適正な位置に指を位置決めすることができ、前記と同様の効果を得ることができる。
【実施例２】
【００２７】
図３は実施例２の生体情報登録装置を示す斜視図である。
なお、上記実施例１と同様の部分は、同一の符号を付してその説明を省略する。
図３において、２１は移動把手であり、指先ガイド１２の指先方向の前方側の指静脈検出ブロック１１の端部の中央部に設けられた角柱状の突起であって、指静脈検出センサ１３により検出する指の指先を指先ガイド１２にセットするときに、指静脈検出ブロック１１を移動させるために用いられる。
【００２８】
本実施例の指静脈検出センサ移動機構は、実施例１のバネ部材１８は省略されており、指静脈検出ブロック１１とその両側に設けられたスライドレール１７および移動把手２１により構成され、指静脈検出センサ１３と掌静脈検出センサ１６との間の距離を可変にすることが可能になる。
本実施例の移動可能とされた指静脈検出ブロック１１に設けられた指先ガイド１２の初期位置は、手の指の最も長い顧客が手首ガイド１５により位置決めされた手の登録する指を伸ばしたときに、その先端が先端係止部１２ａに当接する位置より指先方向の前方側に設定されている。
【００２９】
これにより、手首ガイド１５を基準に、登録する掌が掌静脈検出センサ１６の適正な位置に位置決めされると共に、登録する指を伸ばした状態にして手首ガイド１５にセットし、移動把手２１を用いて他方の手で指先ガイド１２を移動させて指の先端に先端係止部１２ａを当接させれば、手首ガイド１５を基準にして、検出する手の指の長さに応じて指静脈検出センサ１３を伸ばした状態の指の適正な位置に移動させることができる。
【００３０】
本実施例の制御装置２の記憶部６には、上記実施例１と同様の登録処理プログラムが予め格納されており、制御部５が実行する登録処理プログラムのステップにより本実施例の生体情報登録装置１のハードウェアとしての各機能手段が形成される。
本実施例の生体情報登録装置１を用いて、顧客の指静脈データおよび掌静脈データを取引カード４に登録する場合の作動について説明する。
【００３１】
指静脈および掌静脈を登録する顧客は、上記実施例１と同様にして取引カード４をカード読取書込部９にセットする。
これを検知した制御装置２の制御部５は、登録処理プログラムを起動させる。
一方、顧客は、生体情報登録装置１の操作を行う係員の指示により、登録する手の掌を下方に向けてその手首を登録する指を伸ばしたまま手首ガイド１５に載せて位置決めし、移動把手２１によりスライドレール１７に移動可能に支持された指静脈検出ブロック１１を指先方向の後方に移動させ、当該指の先端を指先ガイド１２の先端係止部１２ａに当接させる。
【００３２】
これにより、手首ガイド１５を基準として、顧客の掌および指が指静脈検出センサ１３および掌静脈検出センサ１６の上方の適正な検出位置にセットされる。
係員は、セットされた顧客の手の状態を確認して入力部８により、生体情報の登録開始操作を行う。
その後の作動は、上記実施例１と同様であるので、その説明を省略する。
【００３３】
このように、本実施例では、指静脈検出センサ１３をスライドレール１７および移動把手２１により移動可能に構成し、固定された掌静脈検出センサ１６との間の距離を可変にしたので、手首ガイド１５を基準にして、登録する掌が掌静脈検出センサ１６の適正な位置に位置決めされると共に、移動把手２１を用いて指先ガイド１２を移動させて、登録する指の先端を指先ガイド１２の先端係止部１２ａに当接させて、指を伸ばした状態で指静脈検出センサ１３の適正な位置に容易に位置決めすることができ、顧客の手の大きさに個体差があったとしても、その個体差を吸収して正確に検出された指静脈画像および掌静脈画像により、指静脈データおよび掌静脈データを生成することができ、生体情報の登録における信頼性を向上させることができる。
【００３４】
また、移動把手２１を指静脈検出ブロック１１の端部の中央部に設けたので、登録する手が左右どちらであっても、登録しない側の手で移動把手２１を用いて指静脈検出ブロック１１を容易に移動させることができ、指静脈検出センサ移動機構の操作性を向上させることができる。
以上説明したように、本実施例では、生体情報登録装置に指静脈検出センサと掌静脈検出センサとを設け、手首を位置決めする固定された手首ガイドを基準に掌静脈検出センサを設置し、指静脈検出センサ移動機構により掌静脈検出センサとの間の距離を可変に構成した指静脈検出センサを、指静脈検出センサ移動機構の指静脈検出ブロックに設けた移動把手により指先ガイドを移動させてその先端係止部を当該指の先端に当接させるようにしたことによって、上記実施例１と同様の効果を得ることができる。
【実施例３】
【００３５】
図４は実施例３の生体情報登録装置を示す斜視図である。
なお、上記実施例１と同様の部分は、同一の符号を付してその説明を省略する。
図４において、２５はスライドレールであり、掌静脈検出センサ１６の指先方向に沿った両側に設けられ、掌静脈検出センサ１６および手首ガイド１５を往復移動可能に支持する機能を有している。
【００３６】
２６は移動レバーであり、手首ガイド１５の指先方向の前方側の両側の側縁部に設けられた角柱状の突起であって、スライドレール２６に往復移動可能に支持された掌静脈検出センサ１６および手首ガイド１５に連結しており、掌静脈検出センサ１６により検出する掌を手首ガイド１５にセットするときに、掌静脈検出センサ１６および手首ガイド１５を移動させるために用いられる。
【００３７】
本実施例の指静脈検出ブロック１１は、生体情報登録装置１に固定されており、掌静脈検出センサ１６の両側に設けられたスライドレール２５および移動レバー２６により構成される本実施例の掌静脈検出センサ移動機構により掌静脈検出センサ１６および手首ガイド１５が移動し、指静脈検出センサ１３と掌静脈検出センサ１６との間の距離を可変にすることが可能になる。
【００３８】
これにより、指先ガイド１２を基準に、伸ばした状態の指が指静脈検出センサ１３の適正な位置に位置決めされると共に、登録する指を伸ばした状態にしてその指先を指先ガイド１２にセットし、移動レバー２６を用いて他方の手で手首ガイド１５および掌静脈検出センサ１６を移動させれば、指先ガイド１２を基準にして、検出する手の指の長さに応じて掌静脈検出センサ１６を適正な位置に移動させることができる。
【００３９】
本実施例の制御装置２の記憶部６には、上記実施例１と同様の登録処理プログラムが予め格納されており、制御部５が実行する登録処理プログラムのステップにより本実施例の生体情報登録装置１のハードウェアとしての各機能手段が形成される。
本実施例の生体情報登録装置１を用いて、顧客の指静脈データおよび掌静脈データを取引カード４に登録する場合の作動について説明する。
【００４０】
指静脈および掌静脈を登録する顧客は、上記実施例１と同様にして取引カード４をカード読取書込部９にセットする。
これを検知した制御装置２の制御部５は、登録処理プログラムを起動させる。
一方、顧客は、生体情報登録装置１の操作を行う係員の指示により、登録する手の掌を下方に向けて登録する指を伸ばしたままその先端を指先ガイド１２の先端係止部１２ａに当接させて位置決めし、移動レバー２６によりスライドレール２５に移動可能に支持された掌静脈検出センサ１６および手首ガイド１５を指先方向の前方または後方に移動させ、当該手首を手首ガイド１５により位置決めする。
【００４１】
これにより、指先ガイド１２を基準として、顧客の掌および指が指静脈検出センサ１３および掌静脈検出センサ１６の上方の適正な検出位置にセットされる。
係員は、セットされた顧客の手の状態を確認して入力部８により、生体情報の登録開始操作を行う。
その後の作動は、上記実施例１と同様であるので、その説明を省略する。
【００４２】
このように、本実施例では、掌静脈検出センサ１６をスライドレール２５および移動レバー２６により移動可能に構成し、固定された指静脈検出センサ１３との間の距離を可変にしたので、指先ガイド１２を基準にして、伸ばした状態の指が指静脈検出センサ１３の適正な位置に位置決めされると共に、移動レバー２６を用いて手首ガイド１５を移動させて、登録する指のを伸ばしたままその掌を掌静脈検出センサ１６の適正な位置に容易に位置決めすることができ、顧客の手の大きさに個体差があったとしても、その個体差を吸収して正確に検出された指静脈画像および掌静脈画像により、指静脈データおよび掌静脈データを生成することができ、生体情報の登録における信頼性を向上させることができる。
【００４３】
また、移動レバー２６を手首ガイド１５の両側の側縁部に設けたので、登録する手が左右どちらであっても、登録しない側の手で移動レバー２６を用いて掌静脈検出センサ１６および手首ガイド１５を容易に移動させることができ、掌静脈検出センサ移動機構の操作性を向上させることができる。
以上説明したように、本実施例では、生体情報登録装置に指静脈検出センサと掌静脈検出センサとを設け、検出する手の指の指先を位置決めする固定された指先ガイドに指静脈検出センサを設置し、掌静脈検出センサ移動機構により指静脈検出センサとの間の距離を可変に構成した掌静脈検出センサを、掌静脈検出センサ移動機構に設けた移動レバーにより手首ガイドを移動させて掌静脈検出センサを掌の位置に移動させるようにしたことによって、顧客は登録する手を１回セットすれば、指静脈と掌静脈とを取引カードに同時に登録することができ、２種類の生体情報を効率よく登録することができると共に、手首ガイドおよび掌静脈検出センサを移動させて指先ガイドを基準にして、登録する指を伸ばした状態で指および掌を指静脈検出センサおよび掌静脈検出センサの適正な位置に位置決めすることができ、顧客の手の大きさの個体差を吸収して指静脈画像および掌静脈画像を正確に検出することができ、２種類の生体情報の登録における信頼性を向上させることができる。
【実施例４】
【００４４】
図５は実施例４の生体情報登録装置を示す斜視図、図６は実施例４の生体情報登録装置を示すブロック図である。
なお、上記実施例１ないし実施例３と同様の部分は、同一の符号を付してその説明を省略する。
図５において、３１は叉ガイドであり、指先ガイド１２と手首ガイド１５との間に設けられ、その上面には登録する手の指の叉を押し当てる円柱状の押圧突起３１ａが立設されており、指の叉を押圧突起３１ａに押し当てて指静脈データおよび掌静脈データを登録する顧客の手を位置決めする機能を有している。
【００４５】
図５、図６において、３２は生体情報登録装置１に設けられたブザーであり、指静脈検出センサ１３および掌静脈検出センサ１６による指静脈画像および掌静脈画像の撮影位置が不正の場合、つまり撮影すべき位置と異なる場合や画像が不鮮明な場合に音により警報を発するために用いられる。
本実施例の叉ガイド３１は、生体情報登録装置１に固定されており、指静脈検出ブロック１１とその両側に設けられたスライドレール１７および移動把手２１により構成される本実施例の指静脈検出センサ移動機構により指静脈検出センサ１３が移動し、掌静脈検出センサ１６の両側に設けられたスライドレール２５および移動レバー２６により構成される本実施例の掌静脈検出センサ移動機構により掌静脈検出センサ１６および手首ガイド１５が移動して指静脈検出センサ１３と掌静脈検出センサ１６との間の距離を可変にすることが可能になる。
【００４６】
これにより、登録する指を伸ばした状態にして指の叉を叉ガイド３１の押圧突起３１ａに押し当ててセットし、叉ガイド３１を基準にして、移動把手２１を用いて他方の手で指先ガイド１２を移動させて指の先端に先端係止部１２ａを当接させると共に、移動レバー２６を用いて他方の手で手首ガイド１５および掌静脈検出センサ１６を移動させれば、叉ガイド３１を基準にして、検出する手の指の長さに応じて指静脈検出センサ１３を伸ばした状態の指の適正な位置に移動させると共に、掌静脈検出センサ１６を適正な位置に移動させることができる。
【００４７】
本実施例の制御装置２の記憶部６には、上記実施例１と同様の登録処理を行うアプリケーションプログラムに、指静脈検出センサ１３および掌静脈検出センサ１６による指静脈画像および掌静脈画像の少なくとも一方の撮影位置が不正であることを判定し、ブザー３２により警報を発する機能を有するアプリケーションプログラムが追加された登録処理プログラムが予め格納されており、制御部５が実行する登録処理プログラムのステップにより本実施例の生体情報登録装置１のハードウェアとしての各機能手段が形成される。
【００４８】
本実施例の生体情報登録装置１を用いて、顧客の指静脈データおよび掌静脈データを取引カード４に登録する場合の作動について説明する。
指静脈および掌静脈を登録する顧客は、上記実施例１と同様にして取引カード４をカード読取書込部９にセットする。
これを検知した制御装置２の制御部５は、登録処理プログラムを起動させる。
【００４９】
一方、顧客は、生体情報登録装置１の操作を行う係員の指示により、登録する手の掌を下方に向けてその指の叉を叉ガイド３１の押圧突起３１ａに押し当て、移動把手２１によりスライドレール１７に移動可能に支持された指先ガイド１２を指先方向の前方または後方に移動させ、先端係止部１２ａに伸ばした状態の当該指の先端を当接させて位置決めし、移動レバー２６によりスライドレール２５に移動可能に支持された掌静脈検出センサ１６および手首ガイド１５を指先方向の前方または後方に移動させ、当該手首を手首ガイド１５により位置決めする。
【００５０】
これにより、叉ガイド３１を基準として、顧客の掌および指が指静脈検出センサ１３および掌静脈検出センサ１６の上方の適正な検出位置にセットされる。
係員は、セットされた顧客の手の状態を確認して入力部８により、生体情報の登録開始操作を行う。
この登録開始操作を検知した制御部５は、上記実施例１と同様にして、生成した指静脈データおよび掌静脈データを取引カード４に書込んで登録する。
【００５１】
この場合に、指静脈検出センサ１３および掌静脈検出センサ１６による指静脈画像および掌静脈画像の少なくとも一方の撮影位置が不正であると判定したときは、ブザー３２により警報を発して顧客の注意を喚起する。
顧客は、上記と同様にして掌および指の位置を再セットする。
このように、本実施例では、固定された叉ガイド３１を設け、指静脈検出センサ１３をスライドレール１７および移動把手２１により移動可能に構成すると共に、掌静脈検出センサ１６をスライドレール２５および移動レバー２６により移動可能に構成し、固定された叉ガイド３１を基準に、指静脈検出センサ１３と掌静脈検出センサ１６との間の距離を可変にしたので、叉ガイド３１を基準に、移動把手２１を用いて指先ガイド１２を移動させて登録する指の先端を指先ガイド１２の先端係止部１２ａに当接させ、指を伸ばした状態で指静脈検出センサ１３の適正な位置に容易に位置決めすることができると共に、移動レバー２６を用いて手首ガイド１５を移動させて、登録する指を伸ばしたままその掌を掌静脈検出センサ１６の適正な位置に容易に位置決めすることができ、顧客の手の大きさに個体差があったとしても、その個体差を吸収して正確に検出された指静脈画像および掌静脈画像により、指静脈データおよび掌静脈データを生成することができ、生体情報の登録における信頼性を向上させることができる。
【００５２】
以上説明したように、本実施例では、生体情報登録装置に指静脈検出センサと掌静脈検出センサとを設け、登録する手の指の叉を押し当てる叉ガイドを基準に、指静脈検出センサ移動機構および掌静脈検出センサ移動機構により、指静脈検出センサと掌静脈検出センサとの間の距離を可変に構成し、指静脈検出センサを指静脈検出センサ移動機構の指静脈検出ブロックに設けた移動把手により指先ガイドを移動させてその先端係止部を当該指の先端に当接させ、掌静脈検出センサを掌静脈検出センサ移動機構に設けた移動レバーにより手首ガイドを移動させて掌静脈検出センサを掌の位置に移動させるようにしたことによって、顧客は登録する手を１回セットすれば、指静脈と掌静脈とを取引カードに同時に登録することができ、２種類の生体情報を効率よく登録することができると共に、指静脈検出センサおよび掌静脈検出センサを移動させて叉ガイドを基準にして、登録する指を伸ばした状態で指および掌を指静脈検出センサおよび掌静脈検出センサの適正な位置に指を位置決めすることができ、顧客の手の大きさの個体差を吸収して指静脈画像および掌静脈画像をより正確に検出することができ、２種類の生体情報の登録における信頼性をより向上させることができる。
【実施例５】
【００５３】
図７は実施例５の生体情報登録装置を示す斜視図、図８は実施例５の生体情報登録装置を示すブロック図である。
なお、上記実施例１、実施例２、実施例４と同様の部分は、同一の符号を付してその説明を省略する。
図７、図８において、３５は移動量計測センサであり、指静脈検出センサ１３の移動量を計測する電気式（例えばポテンショメータ）や光学式（例えば反射式の距離センサ）等の計測センサである。
【００５４】
本実施例の叉ガイド３１および手首ガイド１５は、生体情報登録装置１に固定されており、指静脈検出ブロック１１とその両側に設けられたスライドレール１７および移動把手２１により構成される本実施例の指静脈検出センサ移動機構により指静脈検出センサ１３が移動し、掌静脈検出センサ１６との間の距離を可変にすることが可能になる。
本実施例の移動可能とされた指静脈検出ブロック１１に設けられた指先ガイド１２の初期位置は、上記実施例１と同様に設定されている。
【００５５】
これにより、登録する指を伸ばした状態にして指の叉を叉ガイド３１の押圧突起３１ａに押し当ててセットし、移動把手２１を用いて他方の手で指先ガイド１２を移動させて指の先端に先端係止部１２ａを当接させれば、叉ガイド３１を基準にして、検出する手の指の長さに応じて指静脈検出センサ１３を伸ばした状態の指の適正な位置に移動させることができる。
【００５６】
本実施例の制御装置２の記憶部６には、上記実施例１と同様の登録処理を行うアプリケーションプログラムに、移動量計測センサ３５により計測した指静脈検出センサ１３の移動量を基に、叉ガイド３１により位置決めされた掌の大きさを推定し、その大きさに応じて掌静脈検出センサ１６による掌静脈画像の撮影範囲、つまり掌静脈紋の検出範囲を変更する機能を有するアプリケーションプログラムが追加された登録処理プログラムが予め格納されており、制御部５が実行する登録処理プログラムのステップにより本実施例の生体情報登録装置１のハードウェアとしての各機能手段が形成される。
【００５７】
本実施例の生体情報登録装置１を用いて、顧客の指静脈データおよび掌静脈データを取引カード４に登録する場合の作動について説明する。
指静脈および掌静脈を登録する顧客は、上記実施例１と同様にして取引カード４をカード読取書込部９にセットする。
これを検知した制御装置２の制御部５は、登録処理プログラムを起動させる。
【００５８】
一方、顧客は、生体情報登録装置１の操作を行う係員の指示により、登録する手の掌を下方に向けてその指の叉を叉ガイド３１の押圧突起３１ａに押し当ててその手首を手首ガイド１５に載せ、移動把手２１によりスライドレール１７に移動可能に支持された指先ガイド１２を指先方向の後方に移動させ、先端係止部１２ａに伸ばした状態の当該指の先端を当接させて位置決めし、叉ガイド３１を基準として、顧客指が指静脈検出センサ１３の上方の適正な検出位置にセットされる。
【００５９】
このとき、制御部５は移動量計測センサ３５により指静脈検出センサ１３の移動量を計測する。
指静脈検出センサ１３の移動量を計測した制御部５は、計測した指静脈検出センサ１３の移動量を基に顧客の掌の大きさを推定し、その大きさに応じて掌静脈検出センサ１６による検出範囲を変更する。例えば、指静脈検出センサ１３の移動量が多ければ掌が大きいと推定し、掌静脈検出センサ１６の検出範囲を広くするよう、つまり撮影倍率を小さくするように変更する。
【００６０】
一方、係員は、セットされた顧客の手の状態を確認して入力部８により、生体情報の登録開始操作を行う。
この登録開始操作を検知した制御部５は、上記実施例１と同様にして、生成した指静脈データおよび掌静脈データを取引カード４に書込んで登録する。
このように、本実施例では、固定された叉ガイド３１と指静脈検出センサ１３の移動量を計測する移動量計測センサ３５とを設け、指静脈検出センサ１３をスライドレール１７および移動把手２１により移動可能に構成し、固定された掌静脈検出センサ１６との間の距離を可変にし、移動量計測センサ３５により計測した指静脈検出センサ１３の移動量を基に登録する掌の大きさを推定して掌静脈検出センサ１６の検出範囲を変更するので、固定された叉ガイド３１を基準に、移動把手２１を用いて指先ガイド１２を移動させて登録する指の先端を指先ガイド１２の先端係止部１２ａに当接させ、指を伸ばした状態で指静脈検出センサ１３の適正な位置に容易に位置決めすることができると共に、掌静脈検出センサ１６の検出範囲を変更して登録する指を伸ばしたままその掌を撮影することができ、顧客の手の大きさに個体差があったとしても、その個体差を吸収して検出された指静脈画像および掌静脈画像により、指静脈データおよび掌静脈データを生成することができ、生体情報の登録における信頼性を向上させることができる。
【００６１】
以上説明したように、本実施例では、生体情報登録装置に指静脈検出センサと掌静脈検出センサと、移動量計測センサとを設け、登録する手の指の叉を押し当てる叉ガイドを基準に、指静脈検出センサ移動機構により、掌静脈検出センサとの間の距離を可変に構成し、指静脈検出センサを指静脈検出センサ移動機構の指静脈検出ブロックに設けた移動把手により指先ガイドを移動させてその先端係止部を当該指の先端に当接させ、そのときの移動量を移動量計測センサにより計測し、この移動量を基に掌静脈検出センサの撮影範囲を変更するようにしたことによって、顧客は登録する手を１回セットすれば、指静脈と掌静脈とを取引カードに同時に登録することができ、２種類の生体情報を効率よく登録することができると共に、指静脈検出センサおよび掌静脈検出センサを移動させて叉ガイドを基準にして、登録する指を伸ばした状態で指静脈検出センサの適正な位置に位置決めし、登録する掌の大きさに応じて掌静脈検出センサの検出範囲を変更することができ、顧客の手の大きさの個体差を吸収して指静脈画像および掌静脈画像を検出することができ、２種類の生体情報の登録における信頼性を向上させることができると共に、生体情報登録装置１の構成を実施例４に較べて簡素なものとすることができる。
【００６２】
なお、本実施例においては、掌静脈検出センサを固定して、移動量計測センサにより計測した指静脈検出センサの移動量を基に掌静脈検出センサの検出範囲を変更するとして説明したが、指静脈検出センサを固定して、掌静脈検出センサの移動量を計測する移動量計測センサを設け、これにより計測した掌静脈検出センサの移動量を基に掌静脈検出センサの検出範囲を変更するようにしても、同様の効果を得ることができる。
【００６３】
また、本実施例においては、掌静脈検出センサを固定して、移動量計測センサにより計測した指静脈検出センサの移動量を基に掌静脈検出センサの検出範囲を変更するとして説明したが、指静脈検出センサを固定して、掌静脈検出センサの移動量を計測する移動量計測センサを設け、これにより計測した掌静脈検出センサの移動量を基に指静脈検出センサの検出範囲を変更するようにしてもよい。
【００６４】
更に、本実施例においては、掌静脈検出センサを固定して、移動量計測センサにより計測した指静脈検出センサの移動量を基に掌静脈検出センサの検出範囲を変更するとして説明したが、計測した指静脈検出センサの移動量を基に指静脈検出センサの検出範囲を変更するようにしてもよい。
【実施例６】
【００６５】
図９は実施例６の生体情報登録装置を示す斜視図である。
なお、上記実施例１ないし実施例３と同様の部分は、同一の符号を付してその説明を省略する。
図９において、４１は位置決めピンであり、指静脈検出ブロック１１の指先方向に沿った両側の側面に設けられ、スライドレール１７に３段階に設けられた位置決め溝４２に嵌合して指静脈検出ブロック１１上の指先ガイド１２および指静脈検出センサ１３を３段階に移動させて位置決めする。
【００６６】
また、同様の位置決めピン４１は、掌静脈検出センサ１６の指先方向に沿った両側の側面にも設けられ、スライドレール２５に３段階に設けられた位置決め溝４２に嵌合して掌静脈検出センサ１６を３段階に移動させて位置決めする。
本実施例においては、顧客の登録する指の長さおよび掌の指先方向の長さを、予め大、中、小の３段階に分類したサイズ分類表が用意されており、係員が所持している。
【００６７】
本実施例の指静脈検出センサ位置変更機構は、指静脈検出ブロック１１とその両側に設けられた位置決めピン４１およびスライドレール１７に設けられた３段階の位置決め溝４２により構成され、掌静脈検出センサ位置変更機構は、掌静脈検出センサ１６の両側に設けられた位置決めピン４１およびスライドレール２５に設けられた３段階の位置決め溝４２により構成され、これらにより指静脈検出センサ１３および掌静脈検出センサ１６を段階的に移動させて、指静脈検出センサ１３と掌静脈検出センサ１６との間の距離を段階的に可変にすることが可能になる。
【００６８】
これにより、登録する指および掌の長さを物差しや目盛りが付いたシート等に手を載せて計測し、それぞれの計測された長さに応じてサイズ分類表の大、中、小の３段階のいずれに該当するかを判定し、該当するそれぞれの段階の位置にある位置決め溝４２にそれぞれの位置決めピン４１を嵌合させれば、検出する手の指の長さに応じて指静脈検出センサ１３を伸ばした状態の指の適正な位置に位置させると共に、掌静脈検出センサ１６を適正な位置に位置させることができる。
【００６９】
本実施例の制御装置２の記憶部６には、上記実施例１と同様の登録処理を行うアプリケーションプログラムが予め格納されており、制御部５が実行する登録処理プログラムのステップにより本実施例の生体情報登録装置１のハードウェアとしての各機能手段が形成される。
本実施例の生体情報登録装置１を用いて、顧客の指静脈データおよび掌静脈データを取引カード４に登録する場合の作動について説明する。
【００７０】
生体情報登録装置１の操作を行う係員は、顧客の登録する手の指および掌の長さを物差し等により計測し、計測した長さを基にサイズ分類表により該当する段階を判定し、移動把手２１および移動レバー２６を用いて該当するそれぞれの段階の位置にある位置決め溝４２にそれぞれの位置決めピン４１を嵌合させて指静脈検出センサ１３および掌静脈検出センサ１６の位置をセットする。
【００７１】
次いで、指静脈および掌静脈を登録する顧客は、上記実施例１と同様にして取引カード４をカード読取書込部９にセットする。
これを検知した制御装置２の制御部５は、登録処理プログラムを起動させる。
一方、顧客は、予め位置がセットされている生体情報登録装置１の指先ガイド１２および手首ガイド１４に位置をあわせて、登録する手の掌を下方に向けた指および手首をセットする。
【００７２】
これにより、顧客の掌および指が指静脈検出センサ１３および掌静脈検出センサ１６の上方の適正な検出位置にセットされる。
係員は、セットされた顧客の手の状態を確認して入力部８により、生体情報の登録開始操作を行う。
その後の作動は、上記実施例１と同様であるので、その説明を省略する。
【００７３】
このように、本実施例では、顧客の登録する手の指および掌の長さを計測し、計測した長さを基に予め設定されたサイズ分類表の段階に合せて指静脈検出センサ位置変更機構および掌静脈検出センサ位置変更機構により指静脈検出センサ１３および掌静脈検出センサ１６の位置を段階的に変更するので、顧客の手の大きさに個体差があったとしても、その個体差を吸収して正確に検出された指静脈画像および掌静脈画像により、指静脈データおよび掌静脈データを生成することができ、生体情報の登録における信頼性を向上させることができる他、係員が指静脈検出センサ１３および掌静脈検出センサ１６の位置をセットするので、顧客の煩わしさを解消することができる。
【００７４】
以上説明したように、本実施例では、生体情報登録装置に指静脈検出センサと掌静脈検出センサとを設け、顧客の登録する手の指および掌の長さを計測し、計測した長さを基に予め設定されたサイズ分類表の段階に合せて指静脈検出センサ位置変更機構および掌静脈検出センサ位置変更機構により指静脈検出センサ１３および掌静脈検出センサ１６の位置を段階的に変更するようにしたことによって、顧客は登録する手を１回セットすれば、指静脈と掌静脈とを取引カードに同時に登録することができ、２種類の生体情報を効率よく登録することができると共に、指静脈検出センサおよび掌静脈検出センサの位置を段階的に変更し、登録する指を伸ばした状態で指静脈検出センサの適正な位置に、登録する掌を掌静脈検出センサの適正な位置に位置決めすることができ、顧客の手の大きさの個体差を吸収して指静脈画像および掌静脈画像を正確に検出することができ、２種類の生体情報の登録における信頼性を向上させることができる。
【００７５】
なお、本実施例においては、指静脈検出センサおよび掌静脈検出センサを指静脈検出センサ位置変更機構および掌静脈検出センサ位置変更機構により手動で段階的にセットするとして説明したが、手の指および掌の長さを計測した計測結果を入力して自動でセットするようにしてもよい。
また、本実施例においては、サイズ分類表はそれぞれ３段階に分類するとして説明したが、２段階であっても４段階以上であってもよい。
【００７６】
上記各実施例においては、生体情報登録装置の側面に設けられたカード読取書込装置は非接触型のＩＣカードで形成された取引カードを読み書きするとして説明したが、取引カードを接触型のＩＣカードとし、カード読取書込装置のカード挿入口を顧客側にのみ、または係員側にのみ設けるようにしてもよい。
また、生体情報登録装置は、パーソナルコンピュータからなる制御装置に接続するとして説明したが、生体情報登録装置を接続するコンピュータは前記に限らず、現金自動預払機や顧客応対窓口の係員が操作する窓口端末等の制御部分を用いるようにしてもよく、生体情報登録装置に一体に組込むようにしてもよい。
【００７７】
更に、実施例４を除く各実施例においては、ブザーを設けない場合を例に説明したが、実施例４のブザーおよびそのアプリケーションプログラムを他の各実施例に適用して警報を発するようにすれば、同様の効果を得ることができる。
【図面の簡単な説明】
【００７８】
【図１】実施例１の生体情報登録装置を示す斜視図
【図２】実施例１の生体情報登録装置を示すブロック図
【図３】実施例２の生体情報登録装置を示す斜視図
【図４】実施例３の生体情報登録装置を示す斜視図
【図５】実施例４の生体情報登録装置を示す斜視図
【図６】実施例４の生体情報登録装置を示すブロック図
【図７】実施例５の生体情報登録装置を示す斜視図
【図８】実施例５の生体情報登録装置を示すブロック図
【図９】実施例６の生体情報登録装置を示す斜視図
【符号の説明】
【００７９】
１    生体情報登録装置
２    制御装置
３    リード線
４    取引カード
５    制御部
６    記憶部
７    表示部
８    入力部
９    カード読取書込部
９ａ  当接面
９ｂ  載置面
１１  指静脈検出ブロック
１２  指先ガイド
１２ａ  先端係止部
１３  指静脈検出センサ
１５  手首ガイド
１６  掌静脈検出センサ
１７、２５  スライドレール
１８  バネ部材
２１  移動把手
２６  移動レバー
３１  叉ガイド
３２  ブザー
３５  移動量計測センサ
４１  位置決めピン
４２  位置決め溝
【図１】
2008054747.tif 000003
【図２】
2008054747.tif 000004
【図３】
2008054747.tif 000005
【図４】
2008054747.tif 000006
【図５】
2008054747.tif 000007
【図６】
2008054747.tif 000008
【図７】
2008054747.tif 000009
【図８】
2008054747.tif 000010
【図９】
2008054747.tif 000011